(57)【要約】【課題】巻芯からウェブ材を巻き戻した際、巻芯表面に粘着テープの粘着剤が残らずに巻芯を再利用することが可能で、かつ、両面粘着テープを巻芯に貼り付ける際、両面粘着テープを巻芯に貼り付きやすくした、ウェブ材の巻き取り方法を提供する。【解決手段】本発明のウェブ材の巻き取り方法は、樹脂製の巻芯１０の外周面に、軸方向に沿って延びる帯状の平滑テープ２０を貼り付ける工程と、平滑テープの表面に、軸方向に沿って延びる帯状の両面粘着テープ３０を貼り付ける工程と、両面粘着テープに、ウェブ材４０の端部を貼り付ける工程と、ウェブ材を巻芯に巻き取る工程とを含み、平滑テープの表面粗さは、巻芯の表面粗さよりも小さい。【選択図】図１
2018197154.tif 000002
【特許請求の範囲】
【請求項１】
樹脂製の巻芯の外周面に、軸方向に沿って延びる帯状の平滑テープを貼り付ける工程と、
前記平滑テープの表面に、軸方向に沿って延びる帯状の両面粘着テープを貼り付ける工程と、
前記両面粘着テープに、ウェブ材の端部を貼り付ける工程と、
前記ウェブ材を前記巻芯に巻き取る工程と
を含むウェブ材の巻き取り方法であって、
前記平滑テープの表面粗さは、前記巻芯の表面粗さよりも小さい、ウェブ材の巻き取り方法。
【請求項２】
前記平滑テープの表面粗さ（Ｓａ）は、０．２〜０．４μｍの範囲にある、請求項１に記載のウェブ材の巻き取り方法。
【請求項３】
前記平滑テープの厚みは、１０μｍ以下である、請求項１に記載のウェブ材の巻き取り方法。
【請求項４】
前記平滑テープは、ポリエチレンテレフタレート（ＰＥＴ）樹脂からなる、請求項１または２に記載のウェブ材の巻き取り方法。
【請求項５】
前記巻芯は、アクリロニトリル−ブタジエン−スチレン共重合体（ＡＢＳ）樹脂、繊維強化樹脂（ＦＲＰ)、ポリエチレン（ＰＥ)樹脂、または、ポリスチレン（ＰＳ）樹脂からなる、請求項４に記載のウェブ材の巻き取り方法。
【請求項６】
前記両面粘着テープは、前記平滑テープ側の粘着力が、前記ウェブ材側の粘着力よりも小さい、請求項１に記載のウェブ材の巻き取り方法。
【請求項７】
前記平滑テープを貼り付ける工程は、
サポートシート、第１の粘着層、前記平滑テープ、及び第２の粘着層が積層された積層シートを用意する工程と、
前記積層シートの前記第２の粘着層が露出した面を、前記巻芯の外周面に貼り付ける工程と、
前記サポートシートを、前記平滑テープから剥離する工程と
を含み、
前記第１の粘着層の粘着力は、前記第２の粘着層の粘着力よりも小さい、請求項１に記載のウェブ材の巻き取り方法。
【発明の詳細な説明】
【技術分野】
【０００１】
本発明は、ウェブ材を巻芯に巻き取るウェブ材の巻き取り方法に関する。
【背景技術】
【０００２】
フィルムやシート等のウェブ材をロール状に巻き取るには、円筒状の巻芯の外周面にウェブ材の先端を両面粘着テープで固定した後、巻芯を回転させて巻き取る方法が一般に用いられている。
【０００３】
特許文献１には、ウェブ材の先端を巻芯に固定する両面粘着テープとして、巻芯に貼り付ける側を強い粘着層で形成し、ウェブ材に貼り付ける側を弱い粘着層で形成した両面粘着テープが開示されている。これにより、巻芯に巻き取られたウェブ材を巻芯から引き出す際、ウェブ材をスムーズに巻芯から離脱させることができる。また、両面粘着テープは、強い粘着層によって巻芯側に残るため、ウェブ材に粘着層が着いた状態で次の工程に移送されるのを防止することができる。
【先行技術文献】
【特許文献】
【０００４】
【特許文献１】特開２００１−１６３４９０号公報
【発明の概要】
【発明が解決しようとする課題】
【０００５】
巻芯に巻き取られたウェブ材を巻き戻した際、ウェブ材を固定していた粘着テープの粘着剤が巻芯表面に残っていると、巻芯を再利用する場合、予め、巻芯表面に残った粘着剤を薬剤等を使って剥がしておく必要がある。
【０００６】
巻芯からウェブ材を巻き戻した際に、巻芯表面に粘着テープの粘着剤が残らないようにするために、両面粘着テープとして、巻芯に貼り付ける側を弱い粘着層で形成し、ウェブ材に貼り付ける側を強い粘着層で形成することが考えられる。
【０００７】
しかしながら、ウェブ材を巻芯に巻き取った状態で、高温下、長期間保存した場合、その期間、両面粘着テープには、ウェブ材を介して強い圧縮圧力が加わった状態になっている。そのため、巻芯側の粘着テープの粘着力は、ウェブ材を巻芯に貼り付けたときの当初の粘着力（弱粘）に比べて、数倍程度大きくなり強粘化されている。その結果、ウェブ材を巻芯に巻き取った状態で、高温下、長期間保存した後、ウェブ材を巻芯から巻き戻すと、巻芯表面に粘着テープの粘着剤が残るという問題が生じる。
【０００８】
高温下、長期間保存した後も、巻芯表面に粘着テープの粘着剤が残らないようにするために、巻芯側の粘着テープの粘着力をより弱いものにすると、今度は、両面粘着テープを巻芯に貼り付ける際、両面粘着テープが貼り付きにくくなるという問題が生じる。
【０００９】
本発明は、かかる点に鑑みなされたもので、その主な目的は、巻芯からウェブ材を巻き戻した際、巻芯表面に粘着テープの粘着剤が残らずに巻芯を再利用することが可能で、かつ、両面粘着テープを巻芯に貼り付ける際、両面粘着テープを巻芯に貼り付きやすくした、ウェブ材の巻き取り方法を提供することにある。
【課題を解決するための手段】
【００１０】
本発明に係るウェブ材の巻き取り方法は、巻芯の外周面に、軸方向に沿って延びる帯状の平滑テープを貼り付ける工程と、平滑テープの表面に、軸方向に沿って延びる帯状の両面粘着テープを貼り付ける工程と、両面粘着テープに、ウェブ材の端部を貼り付ける工程と、ウェブ材を巻芯に巻き取る工程とを含み、平滑テープの表面粗さは、巻芯の表面粗さよりも小さいことを特徴とする。
【発明の効果】
【００１１】
本発明のウェブ材の巻き取り方法によれば、巻芯からウェブ材を巻き戻した際、巻芯表面に粘着テープの粘着剤が残らずに、巻芯を再利用することが可能となる。また、両面粘着テープを巻芯に貼り付ける際、両面粘着テープを巻芯に貼り付きやすくなる。
【図面の簡単な説明】
【００１２】
【図１】（ａ）〜（ｄ）は、本発明の一実施形態におけるウェブ材の巻き取り方法を模式的に示した拡大図である。
【図２】ウェブ材を巻芯から巻き戻したときの状態を示した拡大図である。
【図３】（ａ）〜（ｃ）は、薄い平滑テープ巻芯の外周面に貼り付ける方法を示した拡大図である。
【発明を実施するための形態】
【００１３】
本発明の実施形態を説明する前に、本発明を想到するに至った経緯を説明する。
【００１４】
本願発明者は、巻芯からウェブ材を巻き戻した際に、巻芯表面に粘着テープの粘着剤が残らないようにするために、巻芯側の粘着層を弱くし、ウェブ材側の粘着層を強くした両面粘着テープを巻芯に貼り付け、この両面粘着テープにウェブ材の端部を貼り付けて、ウェブ材を巻芯に巻き取る方法を検討していたところ、ウェブ材を巻芯に巻き取った状態で、高温下、長期間保存した後、ウェブ材を巻き戻したとき、巻芯表面に粘着テープの粘着剤が残ってしまうという問題が発生した。これは、次のような理由によるものと考えられる。
【００１５】
すなわち、ウェブ材は、ウェブ材に張力を加えながら巻芯に巻き取られるため、巻芯に巻き取った状態のウェブ材には、強い圧縮応力が加わっている。そのため、ウェブ材を巻芯に巻き取った状態で、高温下、長期間保存した場合、その期間、両面粘着テープには、ウェブ材を介して強い圧縮圧力が加わった状態になっている。その結果、巻芯側の粘着層の粘着力は、ウェブ材を巻芯に貼り付けたときの当初の粘着力（弱粘）に比べて、数倍程度大きくなり強粘化されている。そのため、ウェブ材を巻芯に巻き取った状態で、高温下、長期間保存した後、ウェブ材を巻芯から巻き戻したとき、巻芯表面に粘着テープの粘着剤が残るものと考えられる。
【００１６】
そこで、本願発明者は、上記の知見に基づき、高温下、長期間保存した後も、巻芯表面に粘着テープの粘着剤が残らないようにするために、巻芯側の粘着層の粘着力をより弱いものを用いたところ、今度は、両面粘着テープを巻芯に貼り付ける際、両面粘着テープが貼り付きにくくなるという問題が発生した。そして、本願発明者は、巻芯側の粘着層の粘着力を弱くした場合、両面粘着テープの貼り付き具合が、巻芯の種類によって違いがあることに気がついた。すなわち、樹脂製の巻芯（プラスチックコア）では、両面粘着テープは貼り付けにくのに対し、金属製の巻芯（金属コア）では、両面粘着テープは貼り付けやすいことが分かった。
【００１７】
一般に、樹脂製の巻芯は、金属製の巻芯に比べて、巻芯表面の平滑度が低い。本願発明者は、この点に着目し、巻芯側の粘着層の粘着力を弱くした場合、両面粘着テープの貼り付き具合に差が出たのは、巻芯表面の平滑度の差に起因していると考えた。すなわち、巻芯表面の平滑度が高いときは、巻芯側の粘着層の粘着力が弱くても、巻芯と粘着層との接触面積が大きいため、両面粘着テープが貼り付けやすかったと考えられる。一方、巻芯表面の平滑度が低いときは、巻芯と粘着層との接触面積が小さいため、両面粘着テープが貼り付けにくかったと考えられる。
【００１８】
しかしながら、金属製の巻芯は、樹脂製の巻芯に比べて、重たく、価格も高い。そこで、本願発明者は、樹脂製の巻芯表面に両面粘着テープを貼る位置に、予め、金属製の巻芯表面と同程度の平滑度を有するテープ（以下、「平滑テープ」という）を貼っておくことによって、巻芯側の粘着層の粘着力を弱くした場合でも、両面粘着テープを貼り付きやすくすることができると考え、本発明を想到するに至った。
【００１９】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００２０】
図１（ａ）〜（ｄ）は、本発明の一実施形態におけるウェブ材の巻き取り方法を模式的に示した拡大図である。
【００２１】
まず、図１（ａ）に示すように、樹脂製の巻芯１０の外周面に、軸方向（図面の垂直方向）に沿って延びる帯状の平滑テープ２０を貼り付ける。平滑テープ２０は、例えば、ポリエチレンテレフタレート（ＰＥＴ）樹脂、ポリスチレン樹脂、アクリル樹脂、ポリカーボネード樹脂等の材料からなるフィルムを用いることができる。
【００２２】
次に、図１（ｂ）に示すように、平滑テープ２０の表面に、軸方向に沿って延びる帯状の両面粘着テープ３０を貼り付ける。ここで、両面粘着テープ３０は、基材（不図示）の両面に粘着層が形成された構成からなり、平滑テープ２０側の粘着層の粘着力が、平滑テープ２０と反対側（後述するウェブ材４０側）の粘着層の粘着力よりも小さくなっている。
【００２３】
次に、図１（ｃ）に示すように、両面粘着テープ３０に、ウェブ材４０の端部を貼り付ける。なお、ウェブ材４０の端部は、図１（ｃ）に示すように、平滑テープ２０からはみ出ていても構わない。
【００２４】
最後に、図１（ｄ）に示すように、ウェブ材４０を、巻芯１０に巻き取る。
【００２５】
本実施形態では、平滑テープ２０の表面粗さ（Ｓａ）は、巻芯１０の表面粗さ（Ｓａ）よりも小さくなっている。ここで、表面粗さ（Ｓａ）さは、粗さ形状測定機（キーエンス社製ＶＲ−３０００）を用いて、ＩＳＯ２５１７８の規定に準拠し測定される表面凹凸程度の算術平均粗さである。
【００２６】
本実施形態によれば、平滑テープ２０の表面粗さ（Ｓａ）が、巻芯１０の表面粗さ（Ｓａ）よりも小さい、すなわち、平滑テープ２０の平滑度が、巻芯表面の平滑度より高い。そのため、平滑テープ２０の表面に、両面粘着テープ３０を貼り付ける際、平滑テープ２０側の粘着層の粘着力が小さくても、両面粘着テープ３０を平滑テープ２０の表面に容易に貼り付けることができる。
【００２７】
なお、このような平滑テープ２０を巻芯１０表面に貼り付けることにより、巻芯１０側（平滑テープ２０側）の粘着層の粘着力を小さくできるため、ウェブ材４０を巻芯１０に巻き取った状態で、高温下、長期間保存しても、巻芯１０側の粘着層の粘着力は、それほど強粘化しない。その結果、図２に示すように、ウェブ材４０を巻芯から巻き戻した際、両面粘着テープ３０は、強粘側のウェブ材４０に貼り付いた状態で、平滑テープ２０から離脱するため、平滑テープ２０（巻芯１０）の表面に残らない。従って、平滑テープ２０を巻芯１０の外周面に貼り付けた状態で、巻芯１０を再利用することができる。なお、再利用するときは、既に巻芯１０の外周面に貼り付けられている平滑テープ２０に、両面粘着テープ３０を貼り付けた後、ウェブ材４０の端部を両面粘着テープ３０に貼り付ければよい。
【００２８】
本実施形態において、平滑テープ２０の表面粗さ（Ｓａ）が、巻芯１０の表面粗さ（Ｓａ）よりも小さければ、本発明の効果を奏するが、典型的には、平滑テープ２０の表面粗さ（Ｓａ）は、０．２〜０．４μｍの範囲にあることが好ましい。また、巻芯１０の表面粗さ（Ｓａ）は、０．４μｍより大きいことが好ましい。
【００２９】
また、巻芯１０側（平滑テープ２０側）の粘着層の粘着力は、ウェブ材４０を巻芯１０に巻き取った状態で、高温下、長期間保存しても、巻芯からウェブ材を巻き戻した際、巻芯表面に粘着テープが残らない程度に弱いものであればよい。巻芯１０側の粘着層の粘着力は、平滑テープ２０の表面粗さ（Ｓａ）の大きさにもよるが、典型的には、巻芯１０側の粘着層の粘着力（ＪＩＳ Ｚ０２３７準拠；１８０度引き剥がし；剥離速度：３００ｍｍ／ｍｉｎ；被着体：ステンレス基板）は、０．３〜３Ｎ／２０ｍｍの範囲にあることが好ましい。
【００３０】
ところで、平滑テープ２０を巻芯１０の外周面に貼り付けると、巻芯１０の外周面と、平滑テープ２０の端部との間に、平滑テープ２０の厚みに分の段差が生じる。もし、平滑テープ２０の厚みが厚いと、この段差上に巻かれたウェブ材４０に皺等の変形が生じるおそれがある。従って、このような変形が生じないようにするためには、平滑テープ２０の厚みはを、できるだけ薄くしておくことが好ましく、望ましくは、１０μｍ以下であることが好ましい。同様に、平滑テープ２０に貼り付ける両面粘着テープ３０の厚さも、できるだけ薄くしておくことが好ましく、望ましくは、１０μｍ以下であることが好ましい。また、両面粘着テープ３０の幅は、平滑テープ２０の幅よりも狭いことが好ましい。
【００３１】
一方、平滑テープ２０の厚みを、例えば、１０μｍ以下の薄さにすると、平滑テープ２０自体に自立性がなくなるため、平滑テープ２０を巻芯１０の外周面に貼り付ける作業が難しくなる。
【００３２】
図３（ａ）〜（ｃ）は、このような薄い平滑テープ２０を、巻芯１０の外周面に貼り付ける方法を示した拡大図である。
【００３３】
まず、図３（ａ）に示すように、サポートシート２３、第１の粘着層２２、平滑テープ２０、及び第２の粘着層２１が積層された積層シートを用意する。ここで、平滑テープ２０は、例えば、厚み１０μｍ以下のＰＥＴフィルムからなる。また、サポートシート２３は、例えば、厚みが２５μｍ以上のＰＥＴ、ＰＣ（ポリカーボネート）、ＰＰ（ポリプロピレン）アクリル等の樹脂シートを用いることができる。また、第１の粘着層２２の粘着力は、第２の粘着層２１の粘着力よりも小さくなっている。
【００３４】
次に、図３（ｂ）に示すように、積層シートの第２の粘着層２１が露出した面を、巻芯１０の外周面に貼り付ける。
【００３５】
次に、図３（ｃ）に示すように、サポートシート２３を、平滑テープ２０から剥離する。これにより、薄い平滑テープ２０を、巻芯１０の外周面に貼り付けることができる。
【００３６】
上記の方法によれば、平滑テープ２０を、サポートシート２３によって支持された状態で、巻芯１０の外周面に貼り付けることができるため、平滑テープ２０が薄い場合でも、平滑テープ２０の貼り付けを容易に行うことができる。
【実施例】
【００３７】
）
以下、本発明の実施例を挙げて本発明の構成及び効果をさらに説明するが、本発明はこれら実施例に限定されるものではない。
【００３８】
（実施例１）
内径３インチ（外径約８８ｍｍ）のＡＢＳ（アクリロニトリル−ブタジエン−スチレン共重合体）樹脂（昭和丸筒製）からなる巻芯１０を用意し、巻芯１０の外周面に、平滑テープ２０を貼り付けた。本実施例で用いた平滑テープ２０は、厚み２μｍのＰＥＴ樹脂からなるテープを用いた。さらに、平滑テープ２０の表面に、両面粘着テープ３０（総厚み：１０μｍ以下）を貼り付けた。
【００３９】
巻芯１０を巻き取り装置に装着して、厚みが７５μｍのＰＥＴフィルム（ウェブ材４０）を、両面粘着テープ３０に貼り付けた後、巻き取り張力６６Ｎ、巻き取り速度１５０ｍ／ｍｉｎで、３２０ｍ巻き取った。そして、ＰＥＴフィルムを巻き取る際に、両面粘着テープ３０が、平滑テープ２０の表面からのずれが生じているか否かを目視で確認した。また、巻き取ったＰＥＴフィルムを、６０℃の温度下で、４８時間放置した後、巻き戻したときに、両面粘着テープ３０の粘着層が、平滑テープ２０の表面に残っているか否かを目視で確認した。なお、本実施例で使用した巻芯１０は、押出成形品からなる。
【００４０】
（比較例１）
巻芯１０の外周面に平滑テープ２０を貼り付けなかった以外は、実施例１と同様の方法で、厚みが７５μｍのＰＥＴフィルムを巻芯１０に巻き取った際に、両面粘着テープ３０が、巻芯１０の表面からのずれが生じているか否かを目視で確認するとともに、巻き戻したときに、両面粘着テープ３０の粘着層が、巻芯１０の表面に残っているか否かを目視で確認した。
【００４１】
（実施例２）
内径３インチ（外径約８８ｍｍ）の繊維強化樹脂（ＦＲＰ)樹脂(栗本鐵工所製：クリカＦＲＰコア（登録商標））からなる巻芯１０を用いた以外は、実施例１と同様の方法で、厚みが７５μｍのＰＥＴフィルムを巻芯１０に巻き取った際に、両面粘着テープ３０が、平滑テープ２０の表面からのずれが生じているか否かを目視で確認するとともに、巻き戻したときに、両面粘着テープ３０の粘着層が、平滑テープ２０の表面に残っているか否かを目視で確認した。なお、本実施例で使用した巻芯１０は、押出成形品からなる。
【００４２】
（比較例２）
巻芯１０の外周面に平滑テープ２０を貼り付けなかった以外は、実施例２と同様の方法で、厚みが７５μｍのＰＥＴフィルムを巻芯１０に巻き取った際に、両面粘着テープ３０が、巻芯１０の表面からのずれが生じているか否かを目視で確認するとともに、巻き戻したときに、両面粘着テープ３０の粘着層が、巻芯１０の表面に残っているか否かを目視で確認した。
【００４３】
（参考例）
内径３インチ（外径約８８ｍｍ）の鉄製の巻芯（鉄コア）１０を用いた以外は、比較例１と同様の方法で、厚みが７５μｍのＰＥＴフィルムを巻芯１０に巻き取った際に、両面粘着テープ３０が、巻芯１０の表面からのずれが生じているか否かを目視で確認するとともに、巻き戻したときに、両面粘着テープ３０の粘着層が、巻芯１０の表面に残っているか否かを目視で確認した。
【００４４】
表１は、実施例１、２、比較例１、２、参考例において、粘着テープのずれの有無、及び、粘着層の残りの有無を評価した結果を示した表である。なお、表１には、平滑テープ２０の表面粗さ（Ｓａ）、及び巻芯１０の表面粗さ（Ｓａ）の測定結果も示した。
【００４５】
【表１】
2018197154.tif 000003
【００４６】
表１に示すように、巻芯１０に平滑テープ２０を貼り付けてＰＥＴフィルムを巻き取った実施例１、２では、ＰＥＴフィルムを巻き取った際の両面粘着テープ３０のずれは観測されなかった。また、ＰＥＴフィルムを巻き戻したときの粘着層の残りも観測されなかった。
【００４７】
これは、表１に示すように、平滑テープ２０の表面粗さ（Ｓａ）が、巻芯１０の表面粗さ（Ｓａ）よりも小さかったために、実施例１、２では、巻芯１０側の粘着層の粘着力が弱くても、巻芯１０と粘着層との接触面積が大きいため、両面粘着テープが貼り付けやすかったためと考えられる。また、平滑テープ２０を巻芯１０表面に貼り付けることにより、巻芯１０側の粘着層の粘着力を小さくできたため、ウェブ材４０を巻芯１０に巻き取った状態で、高温下、長期間保存しても、粘着層の粘着力は、それほど強粘化せず、その結果、両面粘着テープ３０の粘着層が平滑テープ２０の表面に残らなかったためと考えられる。
【００４８】
一方、巻芯１０の表面に、直接、両面粘着テープを貼り付けて、ＰＥＴフィルムを巻き取った比較例１、２では、ＰＥＴフィルムを巻き取った際、両面粘着テープ３０のずれが観測された。これは、巻芯１０の表面粗さ（Ｓａ）が大きかったために、巻芯１０と粘着層との接触面積が小さく、その結果、両面粘着テープが貼り付けにくくなっていたためと考えられる。
【００４９】
なお、比較例１、２では、両面粘着テープ３０のずれが観測されたため、ＰＥＴフィルムを巻き戻したときの粘着層の残りは評価しなかった。
【００５０】
なお、参考例では、巻芯１０の表面に、直接、両面粘着テープを介してＰＥＴフィルムを巻き取ったにもかかわらず、ＰＥＴフィルムを巻き取った際の両面粘着テープ３０のずれも、ＰＥＴフィルムを巻き戻したときの粘着層の残りも観測されなかった。これは、鉄（金属）製の巻芯１０を用いたため、巻芯１０の表面粗さ（Ｓａ）が小さく、その結果、巻芯１０に平滑テープ３０を貼り付けた実施例１、２と、同様の効果を発揮したものと考えられる。
【００５１】
以上、本発明を好適な実施形態により説明してきたが、こうした記述は限定事項ではなく、もちろん、種々の改変が可能である。例えば、上記実施形態では、両面粘着テープ３０を平滑テープ２０に貼り付けた後、ウェブ材４０を両面粘着テープで固定したが、ウェブ材４０に両面粘着テープ３０を貼り付けた状態で、ウェブ材４０を平滑テープ２０に貼り付けてもよい。すなわち、平滑テープ２０の表面に、両面粘着テープ３０を貼り付ける工程と、両面粘着テープ３０に、ウェブ材４０の端部を貼り付ける工程とは、同時に行ってもよい。
【００５２】
また、上記実施例では、巻芯１０として、ＡＢＳ樹脂、ＦＲＰ樹脂からなる巻芯の例を示したが、樹脂性の巻芯であれば、その材料は特に限定されない。例えば、ＡＢＳ樹脂、ＦＲＰ樹脂以外に、ポリエチレン（ＰＥ)樹脂、ポリスチレン（ＰＳ）樹脂等からなる巻芯を用いることができる。
【符号の説明】
【００５３】
１０      巻芯 
２０      平滑テープ 
２１      第２の粘着層 
２２      第１の粘着層 
２３      サポートシート 
３０      両面粘着テープ 
４０      ウェブ材
【図１】
2018197154.tif 000004
【図２】
2018197154.tif 000005
【図３】
2018197154.tif 000006
【手続補正書】
【提出日】平成30年5月11日(2018.5.11)
【手続補正１】
【補正対象書類名】明細書
【補正対象項目名】００１０
【補正方法】変更
【補正の内容】
【００１０】
本発明に係るウェブ材の巻き取り方法は、巻芯の外周面に、軸方向に沿って延びる帯状の平滑テープを貼り付ける工程と、平滑テープの表面に、軸方向に沿って延びる帯状の両面粘着テープを貼り付ける工程と、両面粘着テープに、ウェブ材の端部を貼り付ける工程と、ウェブ材を巻芯に巻き取る工程とを含み、平滑テープは、厚みが１０μｍ以下のポリエチレンテレフタレート（ＰＥＴ）樹脂からなり、かつ、平滑テープの表面粗さは、巻芯の表面粗さよりも小さく、両面粘着テープは、平滑テープ側の粘着力が、ウェブ材側の粘着力よりも小さいことを特徴とする。
【手続補正２】
【補正対象書類名】特許請求の範囲
【補正対象項目名】全文
【補正方法】変更
【補正の内容】
【特許請求の範囲】
【請求項１】
樹脂製の巻芯の外周面に、軸方向に沿って延びる帯状の平滑テープを貼り付ける工程と、
前記平滑テープの表面に、軸方向に沿って延びる帯状の両面粘着テープを貼り付ける工程と、
前記両面粘着テープに、ウェブ材の端部を貼り付ける工程と、
前記ウェブ材を前記巻芯に巻き取る工程と
を含むウェブ材の巻き取り方法であって、
前記平滑テープは、厚みが１０μｍ以下のポリエチレンテレフタレート（ＰＥＴ）樹脂からなり、かつ、前記平滑テープの表面粗さは、前記巻芯の表面粗さよりも小さく、
前記両面粘着テープは、前記平滑テープ側の粘着力が、前記ウェブ材側の粘着力よりも小さい、ウェブ材の巻き取り方法。
【請求項２】
前記平滑テープの表面粗さ（Ｓａ）は、０．２〜０．４μｍの範囲にある、請求項１に記載のウェブ材の巻き取り方法。
【請求項３】
前記巻芯は、アクリロニトリル−ブタジエン−スチレン共重合体（ＡＢＳ）樹脂、繊維強化樹脂（ＦＲＰ)、ポリエチレン（ＰＥ)樹脂、または、ポリスチレン（ＰＳ）樹脂からなる、請求項１に記載のウェブ材の巻き取り方法。
【請求項４】
前記平滑テープを貼り付ける工程は、
サポートシート、第１の粘着層、前記平滑テープ、及び第２の粘着層が積層された積層シートを用意する工程と、
前記積層シートの前記第２の粘着層が露出した面を、前記巻芯の外周面に貼り付ける工程と、
前記サポートシートを、前記平滑テープから剥離する工程と
を含み、
前記第１の粘着層の粘着力は、前記第２の粘着層の粘着力よりも小さい、請求項１に記載のウェブ材の巻き取り方法。